(57)【要約】【課題】就床者の健康維持および就床環境の快適性向上に好適なベッドを提供する。【解決手段】床材９に多数の通気孔９ｃを形成し、その床材９の下側に棚１１を設ける。そして、棚１１の上に、竹炭等の黒炭が入った炭袋１４Ａと同じく白炭が入った炭袋１４Ｂとを、平面上で交互に配置する。黒炭及び白炭が入れられる袋の材質としては、通気性を有するものとする。これにより、除湿、脱臭、有害化学物質の除去、電磁波の防御、静電気の防止に有効に行われる。【選択図】図１
2007111131.tif 000002
【特許請求の範囲】
【請求項１】
多数の通気孔を形成された床材の下側に棚が設けられ、その棚の上に黒炭及び白炭が分散して載せられていることを特徴とするベッド。
【請求項２】
前記黒炭及び白炭が、複数の通気性を有する袋に分けて入れられている請求項１に記載のベッド。
【請求項３】
前記黒炭及び白炭はそれぞれ個別に袋に入れられ、黒炭の入った炭袋と白炭の入った炭袋とが平面上で交互に配置されている請求項２に記載のベッド。
【請求項４】
前記黒炭及び白炭が竹炭である請求項１乃至３のいずれかに記載のベッド。
【発明の詳細な説明】
【技術分野】
【０００１】
この発明は、炭を用いて就床者の健康維持および就床環境の快適性向上を図ったベッドに関する。
【背景技術】
【０００２】
木炭や竹炭等の炭には除湿、脱臭、空気浄化等の効果があることがよく知られている。この炭の特性を利用して、ベッドの適当箇所に炭を配置することにより、就床者の健康維持および就床環境の快適性向上を図った従来技術（特許文献１）や、ベッドに併設されている収納部に収納される衣類等にカビ、ダニが発生するのを防止するようにした従来技術（特許文献２）がある。
【特許文献１】特開２００２−１９１４７４号公報
【特許文献２】特開２００４−１５９９４３号公報
【発明の開示】
【発明が解決しようとする課題】
【０００３】
炭窯を使って炭を焼く場合、火の消し方によって黒炭と白炭とに区別される。黒炭は、窯の中で炭材を炭化させた後、窯を密閉したまま消火、冷却したもので、比較的低温（摂氏３００〜４００度）で炭化される。一方、白炭は、窯の中で炭材をほぼ炭化させた後、窯口を開いて窯の中に空気を送り込んで一気に高温（摂氏９００〜１０００度）で炭化させたもので、焼けた炭は窯から取り出して急激に消火、冷却される。
【０００４】
このような焼き方の違いから、黒炭と白炭とでは特性が相違している。例えば、黒炭は白炭に比べて吸着性にすぐれ、除湿、脱臭、空気浄化の効果が高いとされている。また、高温で炭化され不純物の少ない白炭は、電気抵抗値が小さく、電磁波を遮蔽する作用や静電気を防止する作用があるとされている。さらに、黒炭が微酸性であるのに対し、白炭はアルカリ性である。
【０００５】
前記従来技術では、上記黒炭と白炭の特性の相違について考慮されておらず、炭の能力が最大限に発揮されるとはいえなかった。そこで本発明は、黒炭と白炭とを組み合わせて用いることにより、就床者の健康維持および就床環境の快適性向上に好適なベッドを提供することを課題としている。
【課題を解決するための手段】
【０００６】
上記課題に対して、本発明は次のように構成した。すなわち、請求項１に記載のベッドは、多数の通気孔を形成された床材の下側に棚が設けられ、その棚の上に黒炭及び白炭が分散して載せられていることを特徴としている。
【０００７】
棚の上に分散して載せられた黒炭及び白炭の吸着作用により、ベッドが設置されている室内の空気や寝具の除湿、脱臭、有害化学物質の除去が行われる。特に、マット等が載置される床材の上方の空間と黒炭及び白炭がある床材の下方の空間とが床材に形成された多数の通気孔を介して連通しているので、マット等の除湿、脱臭が効率良く行われる。
【０００８】
上記除湿、脱臭に関しては、どちらかと言えば黒炭の方が優れた作用を発揮する。一方、白炭は電磁波防御や静電気防止の作用がある。したがって、黒炭と白炭を組み合わせることにより、上述した炭の各種作用がバランス良く行われる。また、微酸性の黒炭とアルカリ性の白炭を組み合わせ用いると、室内雰囲気を中性に保つことができる。さらに、黒炭及び白炭のいずれからも人体に良いとされるマイナスイオンが発散されるので、健康維持に有益である。
【０００９】
前記黒炭及び白炭が、複数の通気性を有する袋に分けて入れられているようにすると、黒炭及び白炭を偏ることなく分散させることができ、また棚から黒炭及び白炭が落ちて床を汚すことを防止できる。
【００１０】
前記黒炭及び白炭はそれぞれ個別に袋に入れられ、黒炭の入った炭袋と白炭の入った炭袋とが平面上で交互に配置されているようにすれば、黒炭と白炭をバランス良く配置することができる。また、黒炭及び白炭がそれぞれ個別に袋に入れられていると、古くなった黒炭及び白炭を新しいものと取り換える作業が容易であり、しかも取換え後の古い黒炭及び白炭を燃料等として再利用する場合に便利である。
【００１１】
前記黒炭及び白炭は竹炭であるとするのが好ましい。各種炭の中でも特に竹炭は多孔質で、吸湿作用や脱臭作用が高いとされるので、除湿、脱臭、空気浄化の目的で使用するのに好適である。
【発明の効果】
【００１２】
本発明にかかるベッドは、多数の通気孔を形成された床材の下側に棚を設け、その棚の上に竹炭等の炭を分散して載せたものであり、竹炭等の炭として黒炭と白炭とを組み合わせて用いることにより、除湿、脱臭、空気浄化、電磁波の除去等の作用がバランス良く効くようになり、就床者の健康維持および就床環境の快適性向上に極めて高い効果が得られるようになった。
【発明を実施するための最良の形態】
【００１３】
以下、本発明を実施するための最良の形態として、図１乃至図３に示す実施例について説明する。
【実施例】
【００１４】
このベッド１は、ヘッドボード２とフットボード３とを左右一対のサイドフレーム４，４で連結し、さらに左右のサイドフレーム４，４間に横桟５，５を設けてベッドフレームとしている。横桟５，５の下側には、ヘッドボード２及びフットボード３と共にベッド１を支える補助脚６，６が設けられている。また、サイドフレーム４，４の下側には、ベッド１の側面下部を覆うサイドボード７，７が取り付けられている。このサイドボード７，７は、この実施例のように、床面との間に少し隙間を設けておくか、サイドボード自体に通気用の開口部を設けておくのが好ましい。
【００１５】
ヘッドボード２、フットボード３及びサイドフレーム４，４の内面には床材支持体８，…が固着されており、その床材支持体８，…及び前記横桟５，５によって床材９が支持されている。そして、その床材９の上にマット１０が載置される。床材９は、縦部材９ａ，…と横部材９ｂ，…とをすのこ状に組んだもので、縦部材と横部材との間隔部に上下に連通する多数の通気孔９ｃ，…が形成されている。床材９としては、板状材に多数の通気孔を穿設したものであってもよい。
【００１６】
床材９の下方には、これと平行に棚１１が設けられている。この実施例では、床材９よりも左右幅が狭い棚１１とされ、該棚がベッド１の左右中央位置に設けられている。
【００１７】
そして、前記棚１１の上には、袋１２の中に竹炭１３を入れた炭袋１４（図３参照）が複数個載せられている。袋１２は、繊維が比較的粗く編まれて通気性が良好な布で作られている。炭袋１４には、黒炭が入ったもの１４Ａと白炭が入ったもの１４Ｂとがあり、図１に示すように、両者が平面上で交互に配置されている。
【００１８】
このベッド１も、普通のベッドと同様に、マット１０の上に毛布等の寝具１５を敷いて使用する。就床者から出る汗や体臭はマット１０や寝具１５に一旦吸収されるが、炭袋１４，…に入れられている竹炭１３の作用により吸湿、脱臭されて、マット１０や寝具１５が常に快適な状態に保たれる。マット１０が載置されている床材９の上方の空間と炭袋１４，…が置かれている床材９の下方の空間とが床材９に形成された多数の通気孔９ｃ，…を介して連通しているので、マット１０や寝具１５の除湿、脱臭が効率良く行われる。併せて、ベッド１が設置されている室内空気の除湿、脱臭、浄化（有害化学物質の除去）も行われる。
【００１９】
また、炭袋１４に入れる竹炭１３として黒炭と白炭とを用い、黒炭が入った炭袋１４Ａと白炭が入った炭袋１４Ｂとをバランス良く配置することにより、次の効果が得られる。すなわち、黒炭は、除湿性、脱臭性、吸着性に優れている。一方、白炭は、電磁波の防御及び静電気の防止に対する有効性が高い。したがって、両者を適正に組み合わせて用いることにより、除湿、脱臭、有害化学物質の除去の他に、電磁波の防御、静電気の防止がバランス良く行われる。
【００２０】
さらに、微酸性の黒炭とアルカリ性の白炭を組み合わせて用いることにより、室内雰囲気を中性に保つことができるという効果がある。また、黒炭及び白炭から発散されるマイナスイオンが、就床者の健康維持に有益に作用する。
【産業上の利用可能性】
【００２１】
黒炭及び白炭は竹炭があることが好ましいが、木炭またはその他の雑炭を用いても良い。
【図面の簡単な説明】
【００２２】
【図１】一部を省略して表わしたベッドの平面図である。
【図２】同ベッドの側面図である。
【図３】一部を破断して表わした炭袋の斜視図である。
【符号の説明】
【００２３】
１  ベッド
９  床材
９ｃ  通気孔
１０  マット
１１  棚
１３  竹炭
１４  炭袋
【図１】
2007111131.tif 000003
【図２】
2007111131.tif 000004
【図３】
2007111131.tif 000005